(57)【要約】【課題】  キートップを操作パネルの前後方向および左右方向の所定位置に精度良くかつ容易に位置決めできるとともに、製造コストを削減することができる電子楽器のキートップスイッチを提供する。【解決手段】  操作パネル２に設けられる電子楽器のキートップスイッチ１であって、操作パネル２の裏面には、前後方向の所定位置に前後方向の位置決め用のリブ２ｂが設けられており、第１および第２係合部９ｃを有し、第１係合部９ａがリブ２ｂに係合した状態で操作パネル２に取り付けられたキートップ４と、左右方向の所定位置に左右方向の位置決め用の係合部３ａを有し、係合部３ａがキートップ４の第２係合部９ｃに係合した状態で、操作パネル２に固定されたスイッチ基板３と、を備える。【選択図】  図１
2007123290.tif 000002
【特許請求の範囲】
【請求項１】
操作パネルに設けられる電子楽器のキートップスイッチであって、
前記操作パネルの裏面には、前後方向の所定位置に前後方向の位置決め用のリブが設けられており、
第１および第２係合部を有し、当該第１係合部が前記リブに係合した状態で前記操作パネルに取り付けられたキートップと、
左右方向の所定位置に左右方向の位置決め用の係合部を有し、当該係合部が前記キートップの前記第２係合部に係合した状態で、前記操作パネルに固定されたスイッチ基板と、
を備えることを特徴とする電子楽器のキートップスイッチ。
【発明の詳細な説明】
【技術分野】
【０００１】
本発明は、電子ピアノなどの電子楽器の操作パネルに各種スイッチとして設けられる電子楽器のキートップスイッチに関する。
【背景技術】
【０００２】
図７は、電子ピアノの従来のキートップスイッチの一例を示したものであり、このキートップスイッチ５０は、例えば音色選択スイッチとして、操作パネル５１に設けられている。操作パネル５１は、押し出し材などで構成されており、上下方向に貫通する多数のキートップ孔５２と、その所定位置に裏面側に突出するとともに、左右方向に延びるリブ５３とが設けられている。キートップスイッチ５０は、プリント配線板で構成されたスイッチ基板５４と、スイッチ基板５４上に支持されるとともに、操作パネル５１の各キートップ孔５２から若干突出した多数のキートップ５５と、を備えている。各キートップ５５は、合成樹脂の成形品などで構成されていて、リブ５３に嵌合した状態でスイッチ基板５４に取り付けられた支持部５６と、支持部５６に支持された本体部５７と、によって構成されている。この支持部５６が操作パネル５１のリブ５３に嵌合した状態で、キートップ５５が操作パネル５１に取り付けられることによって、操作パネル５１に対してキートップ５５が前後方向の所定位置に位置決めされている。また、キートップ５５の左右方向の位置決めに関しては、本体部５７の中心がキートップ孔５２の中心に位置するように、目視などによってその取り付け位置を決定しながら、支持部５６の上面を、両面テープ５８で操作パネル５１の裏面に貼り付けることによって行われている。
【０００３】
また、キートップの左右方向の位置決めに関しては、図示しないが、リブの左右方向の所定位置にその前後方向に突出する一対の位置決め潰し部を設け、これらの位置決め潰し部の間にキートップの支持部を嵌合させることによって行うものも知られている。これらの位置決め潰し部は、そのためにあらかじめ用意した専用のプレス金型によって、リブをプレスすることによって形成される。
【０００４】
しかし、操作パネル５１に対するキートップ５５の左右方向の位置決めを両面テープ５８によって行う場合には、多数のキートップ５５ごとに、その取り付け位置を決定しながら、貼り付け作業を行わなければならず、その貼り付け作業が非常に煩雑で、キートップスイッチ５０の製造コストが高くなってしまう。また、目視によってキートップ５５の取り付け位置を決定するので、取り付け位置を正確に決定できない場合があり、正確に決定したとしてもその位置に正確に貼り付けることが難しく、以上の結果、高い取り付け精度が得られず、品質が安定しにくくなってしまう。
【０００５】
一方、キートップの左右方向の位置決めを、操作パネルのリブに設けた位置決め潰し部によって行う場合には、位置決め潰し部をプレスにより高い精度で得ることが技術的に非常に困難であるとともに、上述したプレス金型が必要となり、位置決めだけのためにそのような高価なプレス金型を作製するのは、コスト的に負担が大きく、その結果、キートップスイッチの製造コストも高くなってしまう。
【０００６】
本発明は、このような課題を解決するためになされたものであり、キートップを操作パネルの前後方向および左右方向の所定位置に精度良くかつ容易に位置決めできるとともに、製造コストを削減することができる電子楽器のキートップスイッチを提供することを目的とする。
【発明の開示】
【課題を解決するための手段】
【０００７】
この目的を達成するために、請求項１に係る発明は、操作パネルに設けられる電子楽器のキートップスイッチであって、操作パネルの裏面には、前後方向の所定位置に前後方向の位置決め用のリブが設けられており、第１および第２係合部を有し、第１係合部がリブに係合した状態で操作パネルに取り付けられたキートップと、左右方向の所定位置に左右方向の位置決め用の係合部を有し、係合部がキートップの第２係合部に係合した状態で、操作パネルに固定されたスイッチ基板と、を備えることを特徴とする。
【０００８】
この電子楽器のキートップスイッチでは、キートップは、その第１係合部が前後方向の位置決め用のリブに係合した状態で、操作パネルに取り付けられている。この位置決め用のリブは、操作パネルの前後方向の所定位置に設けられているので、そのようなリブに第１係合部を係合させるだけで、操作パネルに対してキートップを、前後方向の所定位置に精度良くかつ容易に位置決めすることができる。また、スイッチ基板は、その左右方向の位置決め用の係合部にキートップの第２係合部が係合した状態で、操作パネルに固定されている。この位置決め用の係合部は、スイッチ基板の左右方向の所定位置に設けられているので、そのような係合部に第２係合部を係合させるだけで、キートップを、スイッチ基板を介して、操作パネルに対して左右方向の所定位置に精度良くかつ容易に位置決めすることができる。以上の結果、従来のキートップスイッチと異なり、キートップの左右方向の位置決めのために、両面テープの貼り付け作業や、位置決め潰し部を設けるためのリブの潰し作業を行う必要がなくなることにより、操作パネルへのキートップの取り付け作業を簡素化でき、それによりキートップスイッチの製造コストを削減することができる。
【発明を実施するための最良の形態】
【０００９】
以下、図面を参照しながら、本発明の好ましい実施形態を詳細に説明する。図１は、本発明を適用した電子ピアノのキートップスイッチを示している。このキートップスイッチ１は、操作パネル２に例えば音色選択スイッチとして配置されており、その操作によって音色が選択されるとともに、その選択状態を表示するものである。キートップスイッチ１は、スイッチ基板３と、操作パネル２に取り付けられた多数のキートップ４（図１には１つのみ図示）と、各キートップ４を照明するためのＬＥＤ５と、を備えている。
【００１０】
操作パネル２は、アルミニウムの押し出し材で構成され、所定の断面形状に形成されている。図２に示すように、操作パネル２の所定位置には、上下方向に貫通する多数の開口部２ａ（１つのみ図示）が左右方向に並ぶように形成されており、各開口部２ａにキートップ４の本体部８が、若干の隙間をもって嵌合し、操作パネル２の上方に若干突出している。操作パネル２の開口部２ａよりも後側（同図の右側）の所定位置には、各キートップ４を前後方向に位置決めするためのリブ２ｂが設けられている。このリブ２ｂは、左右方向に連続して延び、裏面側に突出するとともに、所定のテーパを有しており、先端側に向かうほどその幅が狭まるように形成されている。また、リブ２ｂのすぐ後側には、左右方向に互いに平行に延びるねじ取り付け部２ｃ、２ｃが、裏面側に突出した状態で設けられている。さらに、操作パネル２の開口部２ａよりも前側には、左右方向に延びる基板支持部２ｄが、裏面側に突出した状態で設けられており、この基板支持部２ｄには、後方に開放する凹部２ｅが形成されている。
【００１１】
スイッチ基板３は、プリント配線板で構成されており、その表面には、キートップ４に対応する位置にタクトスイッチ６が設けられている。そして、キートップ４が押し操作されるのに伴い、タクトスイッチ６がＯＮ状態になることによって、キートップ４がＯＮ状態になり、そのＯＮ信号が制御装置（図示せず）に出力されることによって、そのキートップ４に対応する音色または機能が選択される。また、タクトスイッチ６よりも後側の所定位置には、各キートップ４を左右方向に位置決めするための多数のキートップ位置決め孔３ａ（係合部）が形成されている（図３参照）。さらに、このキートップ位置決め孔３ａよりも後側には、複数の取り付け孔３ｂが、左右方向に間隔を隔てて形成されている。スイッチ基板３の上面には、キートップ４の本体部８の下方の位置に、前記ＬＥＤ５が取り付けられている。ＬＥＤ５は、制御装置に接続されており、この制御装置の制御により、押し操作されたキートップ４に対応するものが点灯することによって音色または機能の選択状態を表示する。
【００１２】
図４〜図６に示すように、各キートップ４は、操作パネル２の開口部２ａに嵌合する本体部８と、本体部８をスイッチ基板３上に支持する支持部９と、を備えている。
【００１３】
本体部８は、キートップ４の操作の際に押される上側の円柱状の操作部８ａと、ＬＥＤ５を覆う下側の筒状のカバー部８ｂと、によって構成されている。この操作部８ａは、半透明または透明の合成樹脂、例えばアクリルで構成され、キートップ４の他の部分は、半透明の合成樹脂、例えばＡＢＳで構成されており、キートップ４は、例えば２色成形によって形成されている。また、操作部８ａの前端部には、スイッチ基板３のタクトスイッチ６に対向するように、下方に突出するアクチュエータ部８ｃが設けられている。このアクチュエータ部８ｃが、キートップ４の押し操作に伴い、タクトスイッチ６を押圧することによって作動させる。支持部９は、本体部８に左右一対のヒンジ１１、１１を介して連結されている。キートップ４は、これらのヒンジ１１、１１の弾性により、押し操作後、指を離すと、もとの位置に復帰する。また、支持部９は、その背面から突出する断面逆Ｌ字状の係合部９ａ（第１係合部）を有しており、この係合部９ａの鉛直部９ｂは、当接部９とほぼ平行に上下方向に延びている。また、支持部９の下面には、その左右方向の中心に位置決め突起部９ｃ（第２係合部）が設けられている。この位置決め突起部９ｃの左右方向の幅は、前述したキートップ位置決め孔３ａにぴったり係合するような所定の大きさに設定されている。
【００１４】
さらに、支持部９の上端部には、支持部９をスイッチ基板３側に付勢する左右一対の弾性アーム部１０、１０が設けられている。各弾性アーム部１０は、支持部９の前面からほぼ水平に延びる比較的薄い水平部１０ａと、水平部１０ａの先端から上方に延びるパネル当接部１０ｂとから、断面Ｌ字状に形成されている。キートップ４の操作パネル２への取り付け前においては、パネル当接部１０ｂの上端が支持部９の上端よりも上方に位置するようになっている。
【００１５】
以上のように構成されたキートップスイッチ１は、次のようにして組み立てられる。まず、各キートップ４の支持部９の係合部９ａを操作パネル２のリブ２ｂに係合させた状態で、キートップ４の本体部８を操作パネル２の対応する開口部２ａにそれぞれはめ込む。このように、リブ２ｂへの係合部９ａの係合によって、キートップ４を操作パネル２の前後方向の所定位置に精度良くかつ容易に位置決めできるとともに、開口部２ａへの本体部８のはめ込みによって、キートップ４の左右方向の概略の位置決めがなされる。次に、スイッチ基板３を、その前端部を操作パネル２の凹部２ｅに差し込むとともに、各キートップ４の位置決め突起部９ｃを、対応するスイッチ基板３のキートップ位置決め孔３ａに係合させる。その状態で、治具（図示せず）を用いて、操作パネル２に対してスイッチ基板３を左右方向の所定位置に位置決めし、ネジ１２を取り付け孔３ｂを介して、操作パネル２のねじ取り付け部２ｃ、２ｃ間にねじ込み、スイッチ基板３を固定する。これにより、多数のキートップ４を一度に左右方向の所定位置に精度良くかつ容易に位置決めすることができる。したがって、従来のキートップスイッチと異なり、キートップの左右方向の位置決めのための、両面テープの貼り付け作業や、位置決め潰し部を設けるためのリブの潰し作業を省略することにより、操作パネル２へのキートップ４の取り付け作業を簡素化でき、それによりキートップスイッチ１の製造コストを削減することができる。
【００１６】
また、キートップスイッチ１を組み立てる際に、弾性アーム部１０のパネル当接部１０ｂが操作パネル２に当接することにより、その反力によって、水平部１０ａがたわみ、支持部９をスイッチ基板３側に付勢する。したがって、この付勢により、キートップ４は、その取り付け後において、常にスイッチ基板３に押圧された状態になる。同様に、キートップスイッチ１を組み立てる際に、支持部９の係合部９ａが操作パネル２のテーパ状のリブ２ｂにより押し広げられることによって、支持部９には、リブ２ｂから抜け出ようとする力が作用する。したがって、この作用により、キートップ４は、その取り付け後において、常にスイッチ基板３に押圧された状態になる。以上のように、キートップ４の支持部９が、弾性アーム部１０からの付勢力と、リブ２ｂからの押圧力が作用した状態で、スイッチ基板３に当接するので、キートップ４は、操作パネル２にしっかりと取り付けられる。その結果、スピーカ（図示せず）から発生する音の振動によってキートップ４が操作パネル２に対して振動することがなくなるので、両者間のビリ付き、およびそれによる雑音の発生を防ぐことができる。
【００１７】
なお、本発明は、説明した実施形態に限定されることなく、種々の態様で実施することができる。例えば、説明した実施形態では、リブ２ｂは、テーパ状に形成されているが、この形状は任意であり、例えばこれをまっすぐな形状にしてもよい。また、キートップ４の左右方向の位置決めを、スイッチ基板３のキートップ位置決め孔３ａにキートップ４の位置決め突起部９ｃを係合させることによって行っているが、これらを凹凸逆にしてもよく、すなわちスイッチ基板３の所定位置に凸部を設け、この凸部に係合する凹部をキートップ４に設けてもよい。さらに、操作パネル２が押し出し材で構成されている関係上、リブ２ｂは、左右方向に連続しているが、これをキートップ４の取り付け部位にのみ設けてもよい。それに加えて、実施形態では、本発明を電子ピアノに適用しているが、これを、その他の電子楽器、例えば電子オルガンなどに適用してもよい。その他、本発明の趣旨の範囲内で、細部の構成を適宜、変更することが可能である。
【００１８】
以上のように、本発明の電子楽器のキートップスイッチによれば、キートップを前後方向および左右方向の所定位置に精度良くかつ容易に位置決めできるとともに、製造コストを削減することができるなどの効果を有する。
【図面の簡単な説明】
【００１９】
【図１】本発明の第１実施形態による電子楽器のキートップスイッチおよび操作パネルの部分正面図である。
【図２】操作パネルの部分正面図である。
【図３】図１の部分底面図である。
【図４】キートップの平面図である。
【図５】キートップの側面図である。
【図６】キートップの正面図である。
【図７】従来の電子楽器のキートップスイッチおよび操作パネルの部分正面図である。
【符号の説明】
【００２０】
１  キートップスイッチ
２  操作パネル
２ｂ  リブ
３  スイッチ基板
３ａ  キートップ位置決め孔（係合部）
４  キートップ
９ａ  係合部（第１係合部）
９ｃ  位置決め突起部（第２係合部）
【図１】
2007123290.tif 000003
【図２】
2007123290.tif 000004
【図３】
2007123290.tif 000005
【図４】
2007123290.tif 000006
【図５】
2007123290.tif 000007
【図６】
2007123290.tif 000008
【図７】
2007123290.tif 000009